(57)【要約】【課題】  日中の炎天下にて装置使用者による装置の操作が困難になることを防止する。【解決手段】光が通過可能な光通過領域（３）の外側に設けられ、第１の材料（４a）で形成された第１層（１２）と、前記光通過領域の外側に設けられ、前記第１層に対して前記光通過領域側に前記第１層と接触して設けられ、第２の材料（４b）で形成された第２層（１３）とを備え、前記第１層は、前記第１の材料とは熱伝導率が異なる物質を含み、前記第１層は、前記第２層より熱伝導率が低いことを特徴とする。【選択図】図2
2012220581.tif 000002
【特許請求の範囲】
【請求項１】
光が通過可能な光通過領域の外側に設けられ、第１の材料で形成された第１部分と、
前記光通過領域の外側に設けられ、前記第１部分に対して前記光通過領域側に前記第１部分と接触して設けられ、第２の材料で形成された第２部分とを備え、
前記第１部分は、前記第１の材料とは熱伝導率が異なる物質を含み、
前記第１部分は、前記第２部分より熱伝導率が低いこと
を特徴とする光学装置。
【請求項２】
請求項１に記載された光学装置において、
前記第１の材料とは熱伝導率の異なる物質は、前記第１の材料よりも熱伝導率が低いことを特徴とする光学装置。
【請求項３】
請求項１または請求項２に記載された光学装置において、
前記第１の材料とは熱伝導率の異なる物質は、内部に空間を有する中空粒子であることを特徴とする光学装置。
【請求項４】
請求項1から請求項３のいずれか１項に記載された光学装置において、
前記第２部分は、前記第２の材料とは熱伝導率が異なる物質を含むことを特徴とする光学装置。
【請求項５】
光が通過可能な光通過領域の外側に設けられ、第１の材料で形成された第１部分と、
前記光通過領域の外側に設けられ、前記第１部分に対して前記光通過領域側に前記第１部分と接触して設けられ、第２の材料で形成された第２部分とを備え、
前記第２部分は、前記第２の材料とは熱伝導率が異なる物質を含み、
前記第１部分は、前記第２部分より熱伝導率が低いこと
を特徴とする光学装置。
【請求項６】
請求項４または請求項５に記載された光学装置において、
前記第２の材料とは熱伝導率の異なる物質は、前記第２の材料よりも熱伝導率が高いことを特徴とする光学装置。
【請求項７】
請求項1から請求項６のいずれか１項に記載された光学装置において、
前記第１の材料と前記第２の材料は、ゴムであることを特徴とする光学装置。
【請求項８】
請求項1から請求項７のいずれか１項に記載された光学装置において、
前記第１の材料と前記第２の材料は、多孔質材料であることを特徴とする光学装置。
【請求項９】
請求項1から請求項８のいずれか１項に記載された光学装置において、
前記光通過領域の外側に設けられ、前記第２部分に対して前記光通過領域側に前記第２部分と接触して設けられ、第３の材料で形成された第３部分とを備えることを特徴とする光学装置。
【請求項１０】
請求項９に記載された光学装置において、
前記第３部分は、前記第３の材料とは熱伝導率が異なる物質を含むことを特徴とする光学装置。
【請求項１１】
請求項１０に記載された光学装置において、
前記第３の材料とは熱伝導率の異なる物質は、内部に空間を有する中空粒子であることを特徴とする光学装置。
【請求項１２】
請求項９から請求項１１のいずれか１項に記載された光学装置において、
前記第３の材料は、ゴムであることを特徴とする光学装置。
【請求項１３】
請求項９から請求項１２のいずれか１項に記載された光学装置において、
前記第３の材料は、多孔質材料であることを特徴とする光学装置。
【請求項１４】
請求項1から請求項１３のいずれか１項に記載された光学装置を備えたことを特徴とするレンズ鏡筒。
【請求項１５】
請求項1から請求項１３のいずれか１項に記載された光学装置を備えたことを特徴とするカメラ。
【請求項１６】
内側に光通過領域を有する筐体と、
前記光通過領域の外側に設けられ、前記筐体の外側表面に設けられた第１の材料で形成された第１部分と、
前記光通過領域の外側に設けられ、前記第１部分に対して前記筐体側に前記第１部分と接触して設けられ、前記筐体の外側表面に備えられた第２の材料で形成された第２部分とを備え、
前記第１部分は、前記第１の材料とは熱伝導率が異なる物質を含み、
前記第１部分は、前記第２部分より熱伝導率が低いことを特徴とする光学装置。
【請求項１７】
請求項１６に記載された光学装置において、
前記第１の材料とは熱伝導率の異なる物質は、前記第１の材料よりも熱伝導率が低く、
内部に空間を有する中空粒子であることを特徴とする光学装置。
【請求項１８】
請求項１６または請求項１７に記載された光学装置において、
前記第２部分に前記第２部分よりも熱伝導率の高い部材が接触して設けられることを特徴とする光学装置。
【請求項１９】
請求項１６から請求項１８のいずれか１項に記載された光学装置を備えたことを特徴とするカメラボディ。
【請求項２０】
請求項１６から請求項１８のいずれか１項に記載された光学装置を備えたことを特徴とするカメラ。
【発明の詳細な説明】
【技術分野】
【０００１】
本発明は、光学装置、レンズ鏡筒、カメラ、およびカメラボディに関する。
【背景技術】
【０００２】
カメラに備えられるレンズ鏡筒等の光学装置は、日中の炎天下で使用されることがある。レンズ鏡筒の外装部材としてゴム材が使用される場合があり、たとえばズーム環など手指を触れて回転させる部位にゴム材を被せる構造が用いられる。ゴム材の色は、機械的な強度を確保するためにカーボンブラック等の充填剤が混入される場合があり、黒色となる。また外装表面は目立たない色が好まれることから黒色となる場合が多い。そのため太陽光の照射でレンズ鏡筒のゴム材の部分が熱くなりやすく、装置使用者がゴム材の表面を触って操作する場合の触感として強い熱さを感じ、操作が困難になってしまうことがある。
【０００３】
表面を手指で触った時の触感を改善する例として、ノート型パーソナルコンピュータの金属筐体表面に断熱皮膜を設けることで、機器内部熱の放熱性を保ちながら内部熱の影響による外装表面の触感温度を低減することが提案されている（特許文献１参照)。
【０００４】
しかし、光学装置外装に使用されるゴム材が炎天下の太陽光など外部からの放射熱によって熱くなった場合の触感温度低減の対策は、従来検討されてこなかった。
【先行技術文献】
【特許文献】
【０００５】
【特許文献１】特開2000-148306号公報
【発明の概要】
【発明が解決しようとする課題】
【０００６】
本発明は、このような実状に鑑みてなされ、その目的は、日中の炎天下にて装置使用者による装置の操作が困難になることを防止する光学装置、レンズ鏡筒、カメラ、およびカメラボディを提供することである。
【課題を解決するための手段】
【０００７】
上記目的を達成するために、請求項１に記載の光学装置は、光が通過可能な光通過領域（３）の外側に設けられ、第１の材料（４a）で形成された第１部分（１２）と、光通過領域の外側に設けられ、第１部分に対して光通過領域側に第１部分と接触して設けられ、第２の材料（４b）で形成された第２部分（１３）とを備え、第１部分は、第１の材料とは熱伝導率が異なる物質を含み、第１部分は、第２部分より熱伝導率が低いことを特徴とする。
【０００８】
また、請求項1に記載された光学装置において、第１の材料とは熱伝導率の異なる物質は、第１の材料よりも熱伝導率が低くてもよい。
【０００９】
また、請求項１または請求項２に記載された光学装置において、第１の材料とは熱伝導率の異なる物質は、内部に空間を有する中空粒子であってもよい。
【００１０】
また、請求項１から請求項３のいずれか１項に記載された光学装置において、第２部分は、第２の材料とは熱伝導率が異なる物質を含んでもよい。
【００１１】
また、請求項５に記載の光学装置は、光が通過可能な光通過領域（３）の外側に設けられ、第１の材料（４a）で形成された第１部分（１２）と、光通過領域の外側に設けられ、第１部分に対して光通過領域側に第１部分と接触して設けられ、第２の材料（４b）で形成された第２部分とを備え、第２部分（１３）は、第２の材料とは熱伝導率が異なる物質を含み、第１部分は、第２部分より熱伝導率が低いことを特徴とする。
【００１２】
また、請求項４または請求項５に記載された光学装置において、第２の材料とは熱伝導率の異なる物質は、第２の材料よりも熱伝導率が高くてもよい。
【００１３】
また、請求項1から請求項６のいずれか１項に記載された光学装置において、第１の材料と第２の材料は、ゴムであってもよい。
【００１４】
また、請求項1から請求項７のいずれか１項に記載された光学装置において、第１の材料と第２の材料は、多孔質材料であってもよい。
【００１５】
また、請求項1から請求項８のいずれか１項に記載された光学装置において、光通過領域の外側に設けられ、第２部分に対して光通過領域側に第２部分と接触して設けられ、第３の材料（４c）で形成された第３部分（２１）とを備えてもよい。
【００１６】
また、請求項９に記載された光学装置において、第３部分は、第３の材料とは熱伝導率が異なる物質を含んでもよい。
【００１７】
また、請求項１０に記載された光学装置において、第３の材料とは熱伝導率の異なる物質は、内部に空間を有する中空粒子であってもよい。
【００１８】
また、請求項９から請求項１１のいずれか１項に記載された光学装置において、第３の材料は、ゴムであってもよい。
【００１９】
また、請求項９から請求項１２のいずれか１項に記載された光学装置において、第３の材料は、多孔質材料であることを特徴とする光学装置。
【００２０】
また、請求項1から請求項１３のいずれか１項に記載された光学装置を備えたことを特徴とするレンズ鏡筒であってもよい。
【００２１】
また、請求項1から請求項１３のいずれか１項に記載された光学装置を備えたことを特徴とするカメラであってもよい。
【００２２】
請求項１６に記載の光学装置は、内側に光通過領域（３）を有する筐体（２５、３０）と、光通過領域の外側に設けられ、筐体の外側表面に備えられた第１の材料（２４a、２９a）で形成された第１部分（２６、３１）と、光通過領域の外側に設けられ、筐体の外側表面に備えられた第１部分に対して筐体側に第１部分と接触して設けられ、筐体の外側表面に備えられた第２の材料（２４b、２９b）で形成された第２部分（２７、３２）とを備え、第１部分は、第１の材料とは熱伝導率が異なる物質を含み、第１部分は、第２部分より熱伝導率が低いことを特徴とする光学装置。
【００２３】
また、請求項１６に記載された光学装置において、第１の材料とは熱伝導率の異なる物質は、第１の材料よりも熱伝導率が低く、内部に空間を有する中空粒子であってもよい。
【００２４】
また、請求項１６または請求項１７に記載された光学装置において、第２部分に第２部分よりも熱伝導率の高い部材が設けられることを特徴とする光学装置であってもよい。
また、請求項１６から請求項１８のいずれか１項に記載された光学装置を備えたことを特徴とするカメラボディであってもよい。
また、請求項１６から請求項１８のいずれか１項に記載された光学装置を備えたことを特徴とするカメラであってもよい。
【００２５】
なお上述の説明では、本発明をわかりやすく説明するための実施形態を示す図面の符号に対応付けて説明したが、本発明は、これに限定されるものではない。後述の実施形態の構成を適宜改良してもよく、また、少なくとも一部を他の構成物に代替させてもよい。さらに、その配置について特に限定のない構成要件は、実施形態で開示した配置に限らず、その機能を達成できる位置に配置することができる。
【図面の簡単な説明】
【００２６】
【図１】本発明の実施形態に係るレンズ鏡筒の全体図である。
【図２】本発明の第１実施形態に係るレンズ鏡筒の回転環とその外側に備えられるゴム材の断面図である。
【図３】太陽光の照射された.図２の構成と同じ回転環であり、この回転環を装置使用者が触れた場合の、熱の移動の概略図を示している。
【図４】本発明の第１実施形態に係るレンズ鏡筒の変形例であり、回転環とその外側に備えられるゴム材の断面図である。
【図５】本発明の第２実施形態に係るレンズ鏡筒の回転環とその外側に備えられるゴム材の断面図である。
【図６】本発明の第３実施形態に係るレンズ鏡筒の回転環とその外側に備えられるゴム材の断面図である。
【図７】本発明の第４実施形態に係るレンズ鏡筒の回転環とその外側に備えられるゴム材の断面図である。
【図８】本発明のその他の実施形態に係る、一眼レフデジタルカメラ本体の正面図とグリップ部に備わるゴム材の断面図である。
【図９】本発明のその他の実施形態に係る、一眼レフデジタルカメラ本体の背面図とカメラ接眼部に備わるゴム材の断面図である。
【図１０】本発明のその他の実施形態に係る、カメラ接眼部に備わるゴム材の図である。
【発明を実施するための形態】
【００２７】
図１は、いわゆる一眼レフ型カメラのカメラ本体（カメラボディ）のマウント部に着脱可能な望遠型交換レンズ鏡筒１の概略図である。本実施形態では、一例として望遠型交換レンズ鏡筒を示す。レンズ鏡筒１は、レンズ鏡筒１の外周を構成する筐体２を有している。筐体２は、略円筒形状を有しており、略円筒形状の筐体２の中心軸に沿う方向に、光が通過可能な光通過領域３が形成されている。
【００２８】
筐体２の内部に形成されている光通過領域３には、光学レンズ群8が備えられている。光学レンズ群8は、レンズ鏡筒１の一方である被写体側から入射した光を、レンズ鏡筒1の他方である撮像面側（カメラ本体側）に出射する。また、本実施形態に係るレンズ鏡筒１は、被写体側から入射した光の像を、当該光を撮像面側に出射した後の所定の位置で、結像することができる。
【００２９】
筐体２の撮像面側の端部にあるレンズマウント9には、不図示のカメラ本体部のマウント部と嵌合し、カメラ本体にレンズ鏡筒１を装着することができる。カメラ本体部は、レンズ鏡筒１に備えられる光学レンズ群8によって形成される光の像を記録する記憶媒体等を有する。
【００３０】
レンズ鏡筒１には、レンズ鏡筒１に備えられる光学レンズ群8による焦点調節を行うためのフォーカス環7と、光学レンズ群8によって焦点距離を調整するためのズーム環５の二つの回転環が取り付けられている。これらの回転環は、光学レンズ群8を構成するレンズの移動を使用者が操作するための操作部材である。レンズ鏡筒１およびカメラ等を使用する装置使用者は、回転環を回動させることによって、光学レンズ群8の一部のレンズの移動を操作する。
【００３１】
なお、レンズ鏡筒１に取り付けられる回転環は、本実施形態のようなフォーカス環7やズーム環５以外にも、光学レンズ群8を透過する光の量を調節するための、絞りを調節する絞り環であってもよい。
【００３２】
レンズ鏡筒１のズーム環５とフォーカス環７の部分には、外装部材としてズーム環５にゴム材４、フォーカス環７にゴム材６が被されている。レンズ鏡筒１の外装表面は目立たない色が好まれ、外装部材として使用されるゴム素材は黒色のものが使用されることが多い。そのため太陽光の照射でレンズ鏡筒１のゴム材の部分が熱くなりやすく、その熱さによってゴム材を触って操作することが困難になってしまうことがある。
【００３３】
太陽光照射によって熱くなった物体表面を使用者が手指で触った時に、使用者の手指が感じる温度、すなわち使用者の手指の触感温度を和らげるには、その物体表面の温度上昇そのものを抑制するほかに、同じ表面温度であっても手指の触感温度を高く感じ難くすることが有効である。手指の触感温度の度合いは、触った物体から手指に熱がどれだけ伝わってくるか、すなわちゴム材から手指に流れ込む熱の量（伝熱量）に依存することが知られており、この伝熱量が小さければ熱さを感じ難い。
【００３４】
ここで物体表面に触れた場合の物体からの伝熱量は、以下の式に示すように物体に対して垂直方向の熱通過率Uに依存することが知られている。
【００３５】
U＝λ／d
上式で、U；熱通過率（Ｗ／m2・K）、λ；熱伝導率（Ｗ／ｍ・K）、d；物体の厚み（m）
である。
【００３６】
物体表面の温度が同じ場合では、熱通過率Uが小さい方が触感として熱さを感じ難く、伝熱量が減り、触感温度が低減する。すなわち、触れる物体の熱伝導率λが小さい方が、またその物体の厚みdが大きい方が触感温度は低減する。
【００３７】
しかしながら、熱通過率を小さくすると、太陽光照射など外部からの放射による流入熱が滞留しやすくなり、表面温度の上昇を招き、表面温度の上昇によって触感温度の緩和の効果が低減されてしまう。表面温度自体の上昇を抑制するには、外部から流入した熱の放熱性を高くすればよい。そのためには、上記の熱通過率を高くすることになる。
【００３８】
以下の実施形態では、太陽光照射による表面温度の上昇を増大させずに、レンズ鏡筒１に触れたときの触感温度を低減させることを実現している。
【００３９】
なお、本実施形態の外装部材では、ゴム材を用いて説明を行うが本発明はこれに限定されるものではなく、これ以外にもたとえば合成ゴム（ニトリル系ゴム、シリコン系ゴム、アクリル系ゴム、ヒドリン系ゴム、ブタジエン系ゴム、イソプレン系、など）、天然ゴムなどの弾性体および樹脂などが外装部材として適応できる。
【００４０】
（第１実施形態）
図２は、図１の破線１０に沿った断面図であり、ズーム環筐体１１とその外側に備えられるゴム材４の断面図の一部である。なお、筐体２の内側に備えられる光学レンズ群８等については、図示が省略されている。
【００４１】
図２に示されるように、ゴム材４は第１層１２と第２層１３で構成されている。第１層１２は、光通過領域３を内部に有するズーム環筐体１１の外側表面に備えられている。また第１層１２は、ゴム材４aと中空粒子１４から構成されている。すなわち、ゴム材４aの中にゴム材４aよりも熱伝導率の低い内部に空間を有した中空粒子１４を含む構成となっている。さらに第１層１２の内側（光通過領域３側）には、第２層１３が第１層１２に接触して設けられており、ズーム環筐体１１の外側（光通過領域３側と反対側）に第２層１３が接触して備えられている。第２層１３は、材質がゴム材４bと酸化アルミの粉末１５から構成されている。すなわち、ゴム材４bの中にゴム材４ｂよりも熱伝導率の高い充填材である酸化アルミの粉末１５を含む構成となっている。ゴム材４aとゴム材４bは、異なる材質でも同じ材質でもどちらでもよいが、第１層１２の熱伝導率が第２層１３の熱伝導率と比較して小さくなるようにする。
【００４２】
ゴム材４の製造方法は、まずゴム材に充填材を含ませた第１層１２、第２層１３を別々に製造する。それぞれを加熱しつつプレスを行い一体とするか、もしくは両者を重ねて接着剤などで接着を行う。その後、一体となった第１層１２と第２層１３を、ズーム環筐体１１に取り付ける。ズーム環筐体１１は、Mg、Al等を含む金属材料や、ポリカーボネイト等の樹脂材料によって形成される。このときゴム材４の全体の厚さは１mmから２mmとなるように製造する。しかし適切な外装部材の厚さは、外装部材の材質により異なるため、上記にある数値に限定されるものではない。また第１層１２と第２層１３の厚さの比は、第１層１２が、ゴム材４の厚みの１００分の１から３分の２程度となるように製造を行うが、同様に外装部材の材質や含ませる充填材等により適切な値は異なるため、これに限定されるものではない。
【００４３】
第１層１２に含まれる中空粒子１４の材質は、シリコンを含むガラスもしくはセラミックが好ましく、あるいは合成樹脂でもよい。また、中空粒子１４の大きさは、直径で１０μm〜２００μmであることが好ましい。中空粒子１４が有している空隙には、空気あるいは窒素あるいはアルゴンあるいは炭素が気体として存在することが好ましく、圧力は特に限定しないが大気圧とほぼ等しい、もしくは大気圧より小さいほうがより好ましい。
【００４４】
第２層１３に充填する熱伝導率を高める充填材は、酸化アルミの粉末１５のほかに、鉄、アルミニウムなどの金属粉、金属酸化物粉体、窒化ボロン、窒化アルミニウム、炭化珪素、タルク、またはダイアモンドなども適応できるがこれらに限定はされない。
【００４５】
内部に空間を有する中空粒子１４は、ゴム材４aよりも熱伝導率が低く、ゴム材４a中に含ませると第１層１２の熱伝導率が下がる。装置使用者が触れる第１層１２の熱伝導率が下がるため、第１層１２の熱通過率が下がり、装置使用者に伝導する伝熱量が減少し、装置使用者の触感温度が低減する。
【００４６】
図３は、図１の破線１０に沿った断面図であり、太陽光１７に照射された、図２の構成と同じ回転環であるズーム環５の断面図である。図３は、ズーム環５とそれに被さるゴム材４に太陽光１７の照射による熱が流入する時、流入してくる熱の伝導の概略図を示している。図３において、装置使用者の手指１６が第１層１２の表面に触れている状態が示されており、矢印１８は、太陽光１７の照射により第１層１２と第２層１３に流入してくる熱の伝導の一例を表している。太陽光１７の照射により第１層１２に流入した熱は、第１層１２の内側にある第２層１３に流れ込む。第２層１３は、第１層１２と比較し熱伝導率が高いため、第２層１３に伝導してきた熱は、第２層１３全体に熱が拡散しやすく、太陽光１７の光が直接当たらない図中の下方部分まで熱が行き渡りやすい。伝導してきた熱が第２層１３全体に行き渡りやすいため、第２層１３に伝導した熱は、第１層１２全体に放熱されやすい。その結果熱は、第１層１２全体から外部に放熱されやすく、外部への放熱性が向上する。このように放熱性が良好となり、太陽光１７の照射による表面温度上昇を抑制することができる。
【００４７】
従って第１実施形態に係る構成のレンズ鏡筒１は、装置使用者の手指１６に伝導する伝熱量を減少させ、かつ放熱性が向上することで表面温度の上昇の抑制を実現している。そのため装置使用者は、レンズ鏡筒１の回転環５に被さるゴム材４を直接手で触れながら快適に操作することができる。
【００４８】
また、回転環であるフォーカス環７に被せるゴム材６においても、第１実施形態で説明したズーム環５のゴム材４と同様の構成にしてもよく、フォーカス環７に被せるゴム材６の材質やゴム材６の中に含ませる充填材は、ズーム環５と同じでも変えてもよい。
【００４９】
図４（a）図は、第１実施形態の変形例であり、その構成は図２の構成とほぼ同様であり、異なる点はゴム材４の厚さを変えずに、第１層１２と第２層１３の厚さの比を変えている点である。図４（a）の第１層１２と第２層１３の厚さの比を変えることにより、外部からの熱の流入量と外部への放熱量を変えることができる。従って、第１層１２と第２層１３を適した厚さの比にすることで、熱触感の低減を実現することもできる。
【００５０】
図４（b）は、第１実施形態の別の変形例であり、光通過領域３を内部に有するズーム環筐体１１の外側表面に、第１層１２が備えられている。第１層１２の構成は、材質がゴム材４aであり、かつゴム材４aの内部に気孔１９を含む多孔質材料となっている。さらに内側（光通過領域３側）には、第２層１３が第１層１２と接触して設けられており、ズーム環筐体１１の外側（光通過領域３と反対側）に第２層１３が備えられている。第２層１３は、材質がゴム材４bと酸化アルミの粉末１５から構成されている。すなわち、ゴム材４bの中にゴム材４ｂよりも熱伝導率の高い充填材である酸化アルミの粉末１５を含む構成となっている。このように第１層１２のゴム材４aに中空粒子１４を充填する代わりに、図４（b）のように、気孔１９を有する多孔質材料を用いて第１層１２の熱伝導率を下げてもよい。また、気孔１９を含む第１層１２中に中空粒子１４をさらに含ませてもよい。
【００５１】
（第２実施形態）
図５は、図１の破線１０に沿った断面図であり、ズーム環筐体１１とその外側に備えられるゴム材４の断面図の一部である。なお、筐体２の内側に備えられる光学レンズ群８等については、図示が省略されている。
【００５２】
図５に示されるように、ゴム材４は第１層１２と第２層１３で構成される。第１層１２は、光通過領域３を内部に有するズーム環筐体１１の外側表面に備えられる。また第１層１２は、ゴム材４aと中空粒子１４から構成されている。すなわち、ゴム材４aよりも熱伝導率の低い内部に空隙を有した中空粒子１４を含む構成となっている。さらに第１層１２の内側（光通過領域３側）には、第２層１３が第１層１２に接触して設けられており、ズーム環筐体１１の外側（光通過領域３と反対側）に第２層１３が接触して備えられている。また第２層１３の材質は、ゴム材４ｂである。第１層１２の材質４aと第２層１３材質４bは、第１層１２が第２層１３よりも熱伝導率が低ければ、異なる材質でも同じ材質でもどちらでも構わない。第１層１２に含む中空粒子１４は、第１実施形態と同様である。
【００５３】
第２実施形態の構成は、装置使用者の手指が触れる第１層１２に中空粒子１４が含まれているため、熱伝導率が下がり、装置使用者の手指に流入する伝熱量が減少する。そのため装置使用者の触感温度が低減する。一方第２層１３は、第１層１２よりも熱伝導率が高いので第２層１３に伝導した熱は、第２層１３全体に拡散しやすい。流入してきた熱が第２層１３全体に行き渡りやすく、第２層１３に流入した熱は、第１層１２全体に放熱されやすい。その結果熱は、第１層１２全体から外部に放熱されやすく、外部への放熱性が向上する。このように第２層１３が第１層１２よりも熱伝導率が高い二層構造とすることで放熱性が良好となり、太陽光照射による表面温度上昇を抑制することができる。
【００５４】
以上より第２実施形態の構成のレンズ鏡筒１は、装置使用者の手指に流入する伝熱量を減少させ、かつ放熱性を向上させ表面温度の上昇の抑制を実現している。その結果装置使用者は、レンズ鏡筒１のズーム環５に被さるゴム材４を直接手指で触れながら快適に操作することができる。
【００５５】
第１実施形態にも挙げたように、第２実施形態の構成をフォーカス環７に被せたゴム材６に適応してもよい。またゴム材６の材質やゴム材６の中に含まれる充填剤は同じでも、変えてもよい。
【００５６】
また第１実施形態に挙げたように、第１層１２のゴム材は中空粒子１４を充填する代わりに、気孔を有する多孔質を用いて第１層１２の熱伝導率を下げてもよい。
【００５７】
また、第１実施形態に挙げたようにゴム材４の厚さを変えずに、第１層１２と第２層１３の厚さの比を変えてもよい。
【００５８】
（第３実施形態）
図６は、図１の破線１０に沿った断面図であり、ズーム環筐体１１とその外側に備えられるゴム材４の断面図の一部である。なお、筐体２の内側に備えられる光学レンズ群８等については、図示が省略されている。
【００５９】
図６に示されるように、ゴム材４は第１層１２と第２層１３で構成される。第１層１２は、光通過領域３を内部に有するズーム環筐体１１の外側表面に備えられている。また第１層１２材質は、ゴム材４aである。さらに内側（光通過領域３内側）には、第２層１３が第１層１２に接触して設けられており、ズーム環筐体１１の外側（光通過領域３と反対側）に第２層１３が接触して備えられている。第２層１３は、ゴム材４bと酸化アルミの粉末１５から構成されている。すなわち、ゴム材４bの中にゴム材４ｂよりも熱伝導率の高い充填材である酸化アルミの粉末１５を含む構成となっている。第１層１２の材質４aと第２層１３の材質４bは、第１層１２が第２層１３よりも熱伝導率が低ければ、異なる材質でも同じ材質でもどちらでも構わない。また実施形態１と同じように第２層１３に含む酸化アルミの粉末１５のほかには、鉄、アルミニウムなどの金属粉、金属酸化物粉体、窒化ボロン、窒化アルミニウム、炭化珪素、タルク、またはダイアモンドなどが適応できるがこれに限定されない。
【００６０】
第３実施形態の構成は、装置使用者の手指が触れる第１層１２は、第２層１３と比較し熱伝導率が低く、人体の手指に流入する伝熱量が少ない。そのため、装置使用者の触感温度が低減する。一方第２層１３は、第１層１２よりも熱伝導率が高いため第２層１３に伝導した熱は、第２層１３全体に拡散しやすい。そのため外部から流入してきた熱が第２層１３全体に行き渡りやすく、第２層１３に流入した熱は、第１層１２全体に放熱されやすい。その結果熱は、第１層１２全体から外部に放熱されやすく、外部への放熱性が向上する。このように酸化アルミの粉末１５を含む第２層１３が、第１層１２よりも熱伝導率が高く、第２層１３の外側に第１層１２を重ねた二層構造とすることで、放熱性が向上し太陽光照射による表面温度上昇を抑制することができる。結果、装置使用者の触感温度が低減する。
【００６１】
以上より第３実施形態の構成のレンズ鏡筒１では、放熱性を向上させ表面温度の上昇を抑制し装置使用者の触感温度を低減している。そのため装置使用者は、レンズ鏡筒１のズーム環５に被せるゴム材４を直接手指で触れながら快適に操作することができる。
【００６２】
第１実施形態にも挙げたように、第３実施形態の構成をフォーカス環７に被せたゴム材６に適応してもよい。またゴム材６の材質やゴム材６の中に含まれる充填剤は同じでも、変えてもよい。
【００６３】
また、第１実施形態に挙げたようにゴム材４の厚さを変えずに、第１層１２と第２層１３の厚さの比を変えてもよい。
【００６４】
（第４実施形態）
図７は、図１の破線１０に沿った断面図であり、ズーム環筐体１１とその外側に備えられるゴム材４の断面図の一部である。なお、筐体２の内側に備えられる光学レンズ群８等については、図示が省略されている。
【００６５】
図７に示されるように、ゴム材４は第１層１２と第２層１３と第３層２１で構成されている。ゴム材４は、光通過領域３を内部に有するズーム環筐体１１の外側表面に第１層１２が備えられている。また第１層１２は、ゴム材４aと中空粒子１４から構成されている。すなわち、ゴム材４aの中にゴム材４aよりも熱伝導率の低い内部に空間を有した中空粒子１４を含む構成となっている。さらに第１層１２の内側（光通過領域３側）には、第２層１３が第１層１２に接触して設けられており、ズーム環筐体１１の外側（光通過領域３側と反対側）に第２層１３が備えられている。第２層１３は、材質がゴム材４bと酸化アルミの粉末１５から構成されている。すなわち、ゴム材４bの中にゴム材４ｂよりも熱伝導率の高い充填材である酸化アルミの粉末１５が含まれている。さらに第２層１３の内側（光通過領域３側）に第３層２１が接触して設けられており、その内側（光通過領域３側）にはズーム環筐体１１が接触して備えられている。第３層２１は材質がゴム材４cであり、第３層２１と第２層１３と比較すると、第３層２１のほうが熱伝導率は小さくなっている。そのため、第３層２１には熱の伝導が小さく、第３層２１の内側（光通過領域３側）に備わるズーム環筐体１１に熱が伝わりにくくなる。
【００６６】
上述のような３つの層を重ねた３層構造は、ズーム環筐体１１の材料が金属材料など熱伝導率の高い材質である場合に、ズーム環筐体１１に熱が伝導するのを抑制するのに有効である。
【００６７】
また第３層２１は、第３層２１を構成するゴム材４cにゴム材４cよりも熱伝導率の低い充填材を含ませてもよい。たとえば第３層をゴム材４cと第１層１２に使用した中空粒子１４を含む構成とし、第３層２１の熱伝導率を下げてもよい。そうすることで、さらにズーム環筐体１１を通じた光通過領域３等への熱の流入が低減される効果がある。
【００６８】
また第3層２１のゴム材４cは、内部に第１実施形態で説明をしたような気孔１９を含む多孔質材料としてもよい。また、気孔１９を含む第３層の内部に中空粒子１４をさらに含ませても良い。
【００６９】
なお第４実施形態の構成では、第１実施形態の構成に第３層２１を備えているが、そのほかに第２実施形態、第３実施形態の構成に第３層２１を備える構成としてもよい。
【００７０】
（その他の実施形態）
上述の実施形態で説明したゴム材４が備えられる光学装置としては、図１に示すレンズ鏡筒１に限られない。図８(a)は、一眼レフ型カメラボディ２２の正面からの外観図である。図８に示す光通過領域３は、一眼レフ型カメラボディ２２に交換レンズ鏡筒等を装着して使用する際、交換レンズ鏡筒に入射した光が通過する領域である。また光通過領域の外側には、グリップ部２３が設けられている。図８（b）は、図８（a）の破線１０に沿ったグリップ部の断面図である。グリップ部２３は、グリップ部２３を形成している筐体であるグリップ部筐体２５と、その外側表面に設けられるゴム材２４で構成されている。
【００７１】
図８（b）に示されるように、ゴム材２４は第１部分２６と第２部分２７で構成されている。第１部分２６は、グリップ部筐体２５の外側表面に備えられている。第１部分２６は、ゴム材２４aと中空粒子１４で構成されている。すなわち、ゴム材２４aの中にゴム材２４aよりも熱伝導率の低い内部に空間を有した中空粒子１４を含む構成となっている。さらに第２部分は、グリップ部筐体２５の外側表面に備えられている第１部分２６に対してグリップ筐体２５側に第１部分２６に接触して設けられており、グリップ部筐体２５の外側表面に第２部分２７が接触して備えられる。第２部分２７は、材質がゴム材２４bと酸化アルミの粉末１５から構成されている。すなわち、ゴム材２４bの中にゴム材２４ｂよりも熱伝導率の高い充填材である酸化アルミの粉末１５を含む構成となっている。ゴム材２４aとゴム材２４bは、同じ材料でも異なる材料でもよいが、第１部分２６は、第２部分２７よりも熱伝導率が低くなるようにする。
【００７２】
以上の説明からわかるように、図８に示す第１部分２６と第２部分２７で構成されるゴム材２４は、第１実施形態で示したゴム材４と同様の構成となっている。そのため、グリップ部２３に被さるゴム材２４は、装置使用者に流入する熱量を減少させ、かつ放熱が促進することで表面温度の上昇の抑制を実現している。その結果、装置使用者は、グリップ部２３に被さるゴム材２４を直接触れながら快適に操作することができる。
【００７３】
また図９（a）は一眼レフ型カメラボディ２２の背面からの外観図である。背面にカメラファインダーの接眼部２８が設けられている。図９（b）は図９（a）の破線１０に沿った接眼部２８の部分の断面図である。図９（b）に示すように接眼部２８は、接眼部筐体３０とその外側表面に設けられるゴム材２９とで構成されている。
【００７４】
図９（b）に示されるように、ゴム材２９は第１部分３１と第２部分３２で構成されている。第１部分３１は、光通過領域３の外側に備えられ、接眼部筐体３０の外側表面に備えられている。第１部分３１は、ゴム材２９aと中空粒子１４で構成されている。すなわち、ゴム材２９aの中にゴム材２９aよりも熱伝導率の低い内部に空間を有した中空粒子１４を含む構成となっている。さらに第２部分は、光通過領域３の外側に備えられ、接眼部筐体３０の外側表面に備えられている第１部分３１に対して接眼部筐体３０側に第１部分３１に接触して設けられており、接眼部筐体３０の外側表面に第２部分３２が接触して備えられる。第２部分３２は、材質がゴム材２９bと酸化アルミの粉末１５から構成されている。すなわち、ゴム材２９bの中にゴム材２９ｂよりも熱伝導率の高い充填材である酸化アルミの粉末１５を含む構成となっている。ゴム材２９aとゴム材２９bは、同じ材料でも異なる材料でもよいが、第１部分３１は、第２部分３２よりも熱伝導率が低くなるようにする。
【００７５】
図９に示す第１部分３１と第２部分３２で構成されるゴム材２９は、図８に示すグリップ部筐体２５に備えるゴム材２４と同じように、第１実施形態で示したゴム材４と同様の構成となっている。そのため、カメラファインダーの接眼部２８に被さるゴム材２９は、装置使用者に流入する熱量を減少させ、かつ放熱が促進することで表面温度の上昇の抑制を実現している。その結果、装置使用者はカメラファインダーの接眼部２８に被さるゴム材２９を直接触れながら快適に操作することができる。
【００７６】
また図１０は、図９（ｂ）と同様に図９（a）の破線１０に沿った接眼部２８の部分の断面図である。図１０では、図９（ｂ）に示した構成に加えて、第２部分３２に放熱部材である金属板２０が外観から見えないように接触している構成が示されている。金属板２０は、第２部分３２よりも熱伝導率が高い部材となっている。金属板２０は、第２部分３２に接触して設けられており、第２部分３２の熱を金属版２０に伝導し熱を外部に逃がすような構成となっている。そのため放熱が促進され表面温度の上昇が抑制され、触感温度が低減される。また金属板２０を機器の筐体や放熱板に接触させ、金属板２０に伝導した熱をさらに機器の筐体や放熱板に放熱する構成としてもよい。
【００７７】
このような構成にすることで、接眼部筐体３０に使用される材質が、金属材料や樹脂など熱伝導率の高い材質である場合に、接眼部筐体３０に熱が伝導するのを抑制するのに有効である。
【００７８】
また、図８（ｂ）に示したグリップ筐体２５の外側表面に備えられているゴム材２４に対しても同様に、第２部分２７に放熱部材である金属板２０が外観から見えないように接触している構成としてもよい。
【００７９】
また、図９に示すゴム材２４と図１０に示すゴム材２９は、第１実施形態で示したゴム材４と同様の構成であるが、これに限らず第２実施形態または、第３実施形態または、第４実施形態で示した構成を適用してもよい。
【００８０】
また、上述の実施形態で説明したゴム材が備えられる光学装置は、レンズ鏡筒１やカメラボディ２２に限られない。そのほか、カメラ（レンズと撮像部とが一体化したもの）、コンパクトデジタルカメラ、望遠鏡、双眼鏡、単眼鏡、フィルムカメラ、ビデオカメラ、マウントアダプタなどの光学装置にも適応できる。
【符号の説明】
【００８１】
１   レンズ鏡筒
２   筐体
３   光通過領域
４   ズーム環に被さるゴム材
４a  ズーム環に被さる第１層のゴム材
４b  ズーム環に被さる第２層のゴム材
４c  ズーム環に被さる第３層のゴム材
５   ズーム環
６   フォーカス環に被さるゴム材
７   フォーカス環
８   光学レンズ群
９   レンズマウント
１０   破線
１１   ズーム環筐体
１２   第１層
１３   第２層
１４   中空粒子
１５   酸化アルミの粉末
１６   手指
１７   太陽光
１８   熱の流入例
１９   孔
２０   金属板
２１   第３層
２２   一眼レフ型デジタルカメラボディ
２３   グリップ部
２４   カメラグリップ部に被さるゴム材
２４a  カメラグリップ部に被さる第１部分のゴム材
２４b  カメラグリップ部に被さる第２部分のゴム材
２５   グリップ部筐体
２６   グリップ部第１部分
２７   グリップ部第２部分
２８   接眼部
２９   接眼部に被さるゴム材
２９a  接眼部に被さる第１部分のゴム材
２９b  接眼部に被さる第２部分のゴム材
３０   接眼部筐体
３１   接眼部第１部分
３２   接眼部第２部分
【図１】
2012220581.tif 000003
【図２】
2012220581.tif 000004
【図３】
2012220581.tif 000005
【図４】
2012220581.tif 000006
【図５】
2012220581.tif 000007
【図６】
2012220581.tif 000008
【図７】
2012220581.tif 000009
【図８】
2012220581.tif 000010
【図９】
2012220581.tif 000011
【図１０】
2012220581.tif 000012